(57)【要約】【課題】  多数本間隔をおいて並列する管材の適所に取付けるために嵌着する支板の左右両端部に設けた係合部による各管材への嵌着を容易かつ迅速に行うとともに、支板上に設けた立枠や横枠杆などに強い外力が加わったときに起こる、支板の一方の係合部が管材の接触面を滑動して取付いている載置部材等を脱落せしめる欠点を解消したすのこ装置を提供することを目的とする。【解決手段】  適当長さに成る細管材２を適当間隔に多数本並列して開口状態にある各左右端部に管列取付部材３，３を嵌着連結して成るすのこ体１を設け、このすのこ体の一部細管材の適所に適当数の通孔５を設け、この中の任意の通孔に適当な巾間隔を有する任意形状に構成した枠体６や柵体１１の各枠杆７，１２の下端部９，１５を挿入して取付けるようにするものである。【選択図】    図４
2014076196.tif 000002
【特許請求の範囲】
【請求項１】
適当長さに成る細管材を適当間隔に多数本並列して開口状態にある各左右端部に管列取付部材を嵌着連結して成るすのこ体を設け、このすのこ体の一部細管材の適所に適当数の通孔を設け、このうちの任意の通孔に適当な巾間隔を有する任意形状に構成した枠体や柵体の各枠杆の下端部をそれぞれ挿入して取付けるようにすることを特徴とするすのこ装置。
【請求項２】
前記枠体や柵体の各枠杆の下端部が曲折状態に成る請求項１に記載するすのこ装置。
【請求項３】
前記枠体や柵体の各枠杆の下端部が直線状態に成る請求項１に記載するすのこ装置。
【請求項４】
前記枠体や柵体が枠杆と中杆や下杆との間に任意形状の抑止杆を懸架して成る請求項１に記載するすのこ装置。
【請求項５】
前記管列取付部材の各嵌着単部が開口状態にある請求項１に記載するすのこ装置。
【請求項６】
前記管列取付部材の各嵌着単部が閉口状態にある請求項１に記載するすのこ装置。
【発明の詳細な説明】
【技術分野】
【０００１】
本発明は、流し台シンク用のすのこ装置に関するものである。
【背景技術】
【０００２】
一般家庭の台所に設置されている流し台のシンクを使用するときは、シンク内部または周囲に線材篭を配置し、そこに洗い物を収容しておくことが普通であり、また調理くずのごみ袋をシンクの片隅に用意しておいているが、いまだシンクの周囲を有効に利用していない不便さがあった。
【０００３】
そのような問題点を除去するために、次のような用具が刊行物公知となっているが、これは洗い物の仮置き具として、シンク自体の構造を改良した複雑な構造から成るものであるため、実用性に欠けるものであった。
【先行技術文献】
【特許文献】
【０００４】
【特許文献１】実開平５−８９５６２号公報
【特許文献２】意匠登録第１３８７３５７号公報
【発明の概要】
【発明が解決しようとする課題】
【０００５】
そこで、本発明者は、シンク用水切りパイプの取付具の部材について、意匠登録第１３８７３５７号に係る意匠を創作しているところ、これをさらに利便性の高いものに改良したすのこを提供することを目的として特願２０１１−６７１９６号に係る発明を出願したが、これには使用上次のような欠点があることが判明した。
【０００６】
それは、多数本間隔をおいて並列する管材の適所に取付けるために嵌着する支板の左右両端部に設けた係合部による各管材への嵌着が容易かつ迅速にできないばかりでなく、たとえ嵌着はできてもその後の係合部と管材とは、周面上に接しているだけの関係であるから、支板上に設けた立枠や横枠杆などに強い外力が加わったときには、支板の一方の係合部が管材の接触面を滑動して、取付いている載置部材等を脱落せしめるおそれが起こっていたのである。
【０００７】
そこで、本発明は、先願発明が有するこのような欠点を解消するための合理的な手段から成るすのこ装置を提供することを目的とするものである。
【課題を解決するための手段】
【０００８】
本発明は、適当長さに成る細管材を適当間隔に多数本並列して開口状態にある各左右端部に管列取付部材を嵌着連結して成るすのこ体を設け、このすのこ体の一部細管材の適所に適当数の通孔を設け、この中の任意の通孔に適当な巾間隔を有する任意形状に構成した枠体や柵体の各枠杆の下端部を挿入して取付けるようにするものである。
【０００９】
前記枠体や柵体の各枠杆の下端部が若干曲折状態に成るが、ここは直線状態であってもよい。
【００１０】
また、前記枠体や柵体が枠杆と中杆間に任意形状の抑止杆を懸架して成る。
【発明の効果】
【００１１】
本発明に係るすのこ体およびそれに取付ける枠体や柵体を使用すれば、流し台のシンクの上面部においてすべての洗い物を載置したり、調理用のまな板や鍋類などを載置して水切りをすることができ、これらの調理用具を次の調理に直ちに使用する準備ができるようになり、きわめて利便性の高いすのこ環境をシンク上に提供することができるのである。
【００１２】
また、すのこ体の一部の細管材の適所に設けた通孔に挿入する枠体や柵体の各枠杆の下端部は、若干曲折状態に形成しているものであっても、または直線状態に成るものであっても、各枠杆の下端部をすのこ体の細管材の任意の通孔にそれぞれ挿入するだけで簡単に取付けして直立させることができるようになり、枠体や柵体の各枠杆の着脱操作は極めて簡単かつ迅速に行うことができるとともに当該枠杆を定位置に保持することができるようになる。
【００１３】
すのこ体面上に載置した各種の食器類や鍋類などが、枠体や柵体に接触した時には何らかの衝撃を与えることになるが、枠体や柵体の各枠杆下端部は動揺して倒伏するようなおそれはないから、使用者にとっては取扱い易いものとなる。
【００１４】
さらに、シンク上のすのこ体は不使用時には、図１（Ｂ）に示すように、その左右両端部の管列取付部材を取り付けたままの状態で、これを巻いて収納することができるし、枠体や柵体も各枠杆を細管材の通孔から抜き取ってこれをまとめて収納しておくことができるから、流し台の使用に支障はなく、流し台の使用を合理的に行うことができるようになる。
【図面の簡単な説明】
【００１５】
【図１】すのこ体の斜視図で、（Ａ）は開平状態、（Ｂ）は閉巻状態
【図２】一関係部材の斜視図
【図３】他関係部材の斜視図
【図４】使用前の全体の斜視図
【図５】使用中の全体の斜視図
【発明を実施するための形態】
【００１６】
本発明のすのこ体は、シンクの側面台から上面部にかけて載置して使用するものであるから、調理時および調理後に洗浄したすべての物を水切りなどのために載置しておく。
【００１７】
図１（Ａ）に示したすのこ体を、まずシンクの上面部にその左右両側部を載置した後、すのこ体の最外位置にある細管材上の任意の通孔を選んで各枠杆の下端部を挿入する。このとき、枠杆の下端部が若干曲折状態になっていても、直線状態になるものであっても、各通孔に挿入した状態を安全に維持することができるのである。
【実施例】
【００１８】
１は適当長さの細管材２・・を多数本適当間隔に並列し、開口状態にある各細管材の左右両端部に連結のための後記管列取付部材３，３の単部４・・を嵌着して構成するすのこ体で、このすのこ体１全体の巾長さは、シンクの短手方向間に架け渡せる長さにするが、その長手方向への連結長さは任意であり、場合によっては長手方向の長さを調整できる伸縮型に構成してもよい。
【００１９】
３，３は前記すのこ体１を構成する多数の細管材２・・の左右両端部に嵌着して連結する管列取付部材で、この管列取付部材は可撓性を有する開閉自在の軟質合成樹脂材から成るとともに各嵌着単部４・・は開口し、前記細管材２・・の開口部と連通するように成る。しかし、この管列取付部材の各嵌着単部は閉口状態のものでもよい。
【００２０】
前記管列取付部材３，３は、シンクの上面部に載置したときには滑止め効果も発揮する。
【００２１】
５，５・・は前記すのこ体１の細管材２・・の適所に設けた通孔で、この通孔の間隔位置には後記枠体の枠杆の下端部や柵体の枠杆の下端部が挿入するようになる。
【００２２】
６は適当な高さと巾とから成る枠杆７で構成する枠体で、この枠体の枠杆下側部間には下杆８を架設する。
【００２３】
９，９は前記枠体６の下杆８以下の枠杆７の下端部で、この下端部は一方に若干曲折してストッパー作用をする。
【００２４】
１０，１０は前記枠体６の枠杆７と下杆８との間に架設した任意形状の抑止杆で、図面では円形状に成るが、この抑止杆の形状は三角状やジグザク状など任意である。
【００２５】
１１は適当な高さと巾とから成る枠杆１２で構成する柵体で、この柵体の枠杆の中央部間および下側部間には中杆１３および下杆１４を架設する。
【００２６】
１５，１５は前記柵体１１の下杆１４以下の枠杆１２の下端部で、この下端部は直線状でも若干曲折状にしてもよい。
【００２７】
１６，１６，１６は前記柵体６の枠杆１２と中杆１３との間や中杆と下杆１４との間に架設した任意形状の抑止杆で、その形状は前記のとおり任意である。
【符号の説明】
【００２８】
１                            すのこ体
２・・                        細管材
３，３                        管列取付部材
４・・                        嵌着単部
５・・                        通孔
６                            枠体
７                            枠杆
８                            下杆
９，９                        下端部
１０，１０                    抑止杆
１１                          柵体
１２                          枠杆
１３                          中杆
１４                          下杆
１５，１５                    下端部
１６，１６，１６              抑止杆
【図１】
2014076196.tif 000003
【図２】
2014076196.tif 000004
【図３】
2014076196.tif 000005
【図４】
2014076196.tif 000006
【図５】
2014076196.tif 000007